【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、挿入された前記第１及び第２コンタクトの各々の接続部が前記ハウジングに保持され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設けるとともに、前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記ハウジングに保持された前記第１コンタクトの第１接続部は前記ハウジングに保持されたままの状態で、前記第１コンタクトの第１押受部及び前記第２コンタクトの第２押受部のみが前記押圧部によって押し上げられ、それぞれ前記第１及び第２支点部を支点にし、前記第１及び第２弾性部がそれぞれ前記第１及び第２接触部側に傾くことによって、前記押圧部が前記ＦＰＣ又は前記ＦＦＣを直に押圧することなく、前記第１及び第２接触部が前記ＦＰＣ又は前記ＦＦＣ側に下方変位して、前記ＦＰＣ又は前記ＦＦＣと押圧接触することを特徴とするコネクタ。
【請求項２】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、挿入された前記第１及び第２コンタクトの各々の接続部が前記ハウジングに保持され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記ハウジングに保持された前記第１コンタクトの第１接続部は前記ハウジングに保持されたままの状態で、前記第１コンタクトの第１押受部及び前記第２コンタクトの第２押受部のみが前記押圧部によって押し上げられ、それぞれ前記第１及び第２支点部を支点にし、前記第１及び第２弾性部がそれぞれ前記第１及び第２接触部側に傾くことによって、前記押圧部が前記ＦＰＣ又は前記ＦＦＣを直に押圧することなく、前記第１及び第２接触部が前記ＦＰＣ又は前記ＦＦＣ側に下方変位して、前記ＦＰＣ又は前記ＦＦＣと押圧接触することを特徴とするコネクタ。  
【請求項３】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１及び第２コンタクトを備え、これら第１及び第２コンタクトは、ハウジングへの挿入方向を互い違いに変えて千鳥に配置され、
前記ハウジングには、前記スライダーが装着される側から嵌合口側に向かう方向に延びる第１挿入溝と、嵌合口側から前記スライダーが装着される側に向かう方向に延びる第２挿入溝が設けられ、前記第１コンタクトは前記第１挿入溝に挿入され、前記第２コンタクトは前記第２挿入溝に挿入され、挿入された前記第１及び第２コンタクトの各々の接続部が前記ハウジングに保持され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを、前記第１支点部が前記第１弾性部の下端側に位置するよう略クランク形状に配置し、かつ、前記第１接続部と対向する位置に前記第１弾性部から延設された第１押受部を設けるとともに前記第１支点部から前記第１接触部と同じ方向に延設した第１延設部を有し、前記第１延設部は、該第１延設部と前記第１接触部との間にハウジングが存在しない状態で前記第１挿入溝に挿入され、前記第１押受部の下面、及び該第１押受部に対向する前記第１接続部の上面をともにフラットに形成し、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を設け、前記第２押受部の下面をフラットに形成し、
前記スライダーには、長手方向に連設した細長形状の押圧部を前記第１及び第２押受部の直下に設けるとともに、所要数の前記第１及び第２コンタクトの第１及び第２押受部の先端と係合する係止孔を別個独立に形成して、隣接するコンタクト間に仕切り壁を配設し、
前記スライダーの軸周りの回転に伴い、前記押圧部が前記第１及び第２コンタクトの第１及び第２押受部に作用して、前記ハウジングに保持された前記第１コンタクトの第１接続部は前記ハウジングに保持されたままの状態で、前記第１コンタクトの第１押受部及び前記第２コンタクトの第２押受部のみが前記押圧部によって押し上げられ、それぞれ前記第１及び第２支点部を支点にし、前記第１及び第２弾性部がそれぞれ前記第１及び第２接触部側に傾くことによって、前記押圧部が前記ＦＰＣ又は前記ＦＦＣを直に押圧することなく、前記第１及び第２接触部が前記ＦＰＣ又は前記ＦＦＣ側に下方変位して、前記ＦＰＣ又は前記ＦＦＣと押圧接触することを特徴とするコネクタ。
【請求項４】
前記第１挿入溝は、前記ハウジングを貫通している請求項１〜３の何れか一項に記載のコネクタ。
【請求項５】
前記第１コンタクトの第１接続部は前記ハウジングに固定されている請求項１〜４の何れか一項に記載のコネクタ。
【請求項６】
前記ハウジングは、前記スライダーの押圧部によって、前記第１コンタクトの第１押受部及び前記第２コンタクトの第２押受部が押し上げられて上方変位する際、前記第１及び第２押受部の上方変位を妨げることのないよう、全ての第１及び第２コンタクトに対応する、前記ハウジングを切り欠いた一つの切欠部を有する請求項１〜５の何れか一項に記載のコネクタ。
【請求項７】
前記第１コンタクトの第１押受部の先端に突出部を設け、前記スライダーの押圧部が前記第１コンタクトの第１押受部の先端に向かう方向へ移動しないようにした請求項１〜６の何れか一項に記載のコネクタ。
【請求項８】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、前記ＦＰＣ又は前記ＦＦＣの上面側に位置しかつ前記接触部である第２接触部と、前記接続部である第２接続部との間に、第２弾性部と第２支点部とを有するとともに、前記第２接触部と前記第２弾性部と前記第２支点部と前記第２接続部とを、前記第２支点部が前記第２弾性部の下端側に位置するよう略コ字状に配置し、かつ、前記第２弾性部から前記第２接触部と反対方向に延設された第２押受部を有するとともに、前記第２押受部の下面をフラットに形成してなる第２コンタクトを含み、
前記ハウジングには、嵌合口側から前記スライダーが装着される側に向かう方向に延びる第２挿入溝が設けられ、前記第２コンタクトは前記第２挿入溝に挿入され、挿入された前記第２コンタクトの前記第２接続部が前記ハウジングに保持され、
前記スライダーには、長手方向に連設した細長形状の押圧部を前記第２押受部の直下に設けるとともに、所要数の前記第２コンタクトの第２押受部の先端と係合する係止孔を別個独立に形成して、隣接するコンタクト間に仕切り壁を配設し、
前記スライダーの軸周りの回転に伴い、前記押圧部が前記第２コンタクトの第２押受部に作用して、前記第２コンタクトの第２押受部のみが前記押圧部によって押し上げられ、それぞれ前記第２支点部を支点にし、前記第２弾性部がそれぞれ前記第２接触部側に傾くことによって、前記押圧部が前記ＦＰＣ又は前記ＦＦＣを直に押圧することなく、前記第２接触部が前記ＦＰＣ又は前記ＦＦＣ側に下方変位して、前記ＦＰＣ又は前記ＦＦＣと押圧接触することを特徴とするコネクタ。
【請求項９】
前記第２挿入溝は、前記ハウジングを貫通している請求項１〜８の何れか一項に記載のコネクタ。
【請求項１０】
前記第２コンタクトの第２接続部は前記ハウジングに固定されている請求項１〜９の何れか一項に記載のコネクタ。
【請求項１１】
前記第２コンタクトは、前記第２支点部から前記第２接続部と反対方向に延設される第２延設部を有する請求項１〜１０の何れか一項に記載のコネクタ。
【請求項１２】
前記第２コンタクトの第２押受部の先端に突出部を設け、前記スライダーの押圧部が前記第２コンタクトの第２押受部の先端に向かう方向へ移動しないようにした請求項１〜１１の何れか一項に記載のコネクタ。
【請求項１３】
前記第２延設部の上面をフラットに形成してなる請求項１１又は１２に記載のコネクタ。  
【請求項１４】
前記第２延設部は、該第２延設部と前記第２接触部との間にハウジングが存在しない状態で前記第２挿入溝に挿入される請求項８〜１３の何れか一項に記載のコネクタ。